(57)【要約】      （修正有）【課題】使用者の行動履歴も考慮して関連するコンテンツ情報を選択して提供することができる映像表示装置、映像表示方法及び映像表示システムを提供する。【解決手段】映像表示装置は、行動履歴情報を受信する行動履歴情報受信部と、視聴した番組の番組履歴情報を格納する番組履歴情報記録部と、コンテンツ情報を格納するコンテンツ記録部と、前記行動履歴情報、前記格納されている番組履歴情報及び前記コンテンツ情報にもとづいて、コンテンツ情報を選択するための表示条件を生成するコンテンツ表示条件生成部と、前記表示条件にもとづいてコンテンツ情報を表示する表示部とを備える。【選択図】図１
2013138309.tif 000002
【特許請求の範囲】
【請求項１】
行動履歴情報を受信する行動履歴情報受信部と、
番組履歴情報を格納する番組履歴情報記録部と、
コンテンツ情報を格納するコンテンツ記録部と、
前記行動履歴情報、前記格納されている番組履歴情報及び前記コンテンツ情報にもとづいて、コンテンツ情報を選択するための表示条件を生成するコンテンツ表示条件生成部と、
前記表示条件にもとづいてコンテンツ情報を表示する表示部とを備えることを特徴とする映像表示装置。
【請求項２】
前記番組履歴情報は、視聴した番組、録画予約した番組又は視聴予約した番組のうち、少なくともいずれか一つに関する情報であることを特徴とする請求項１に記載の映像表示装置。
【請求項３】
前記コンテンツ情報は、地域情報、時間情報又は番組情報のうち、少なくともいずれか一つを含むことを特徴とする請求項１または２に記載の映像表示装置。
【請求項４】
前記コンテンツ表示条件生成部は、前記表示部に表示されるコンテンツ情報に表示優先度を付与するように表示条件を生成することを特徴とする請求項１〜３に記載の映像表示装置。
【請求項５】
前記コンテンツ表示条件生成部は、緊急情報に係るコンテンツ情報の前記表示優先度を高くするように表示条件を生成することを特徴とする請求項４に記載の映像表示装置。
【請求項６】
前記コンテンツ表示条件生成部は、前記表示部に表示されるコンテンツ情報の少なくとも一部を表示するように表示条件を生成することを特徴とする請求項１〜５に記載の映像表示装置。
【請求項７】
前記コンテンツ表示条件生成部は、前記コンテンツ情報の少なくとも一部を表示するような表示条件から詳細表示に切り換えるように表示条件を生成することを特徴とする請求項６に記載の映像表示装置。
【請求項８】
行動履歴情報を受信する工程と、
視聴した番組の番組履歴情報を格納する工程と、
コンテンツ情報を格納する工程と、
前記行動履歴情報、前記格納されている番組履歴情報及び前記コンテンツ情報にもとづいて、コンテンツ情報を選択するための表示条件を生成する工程と、
前記表示条件にもとづいてコンテンツ情報を表示する工程とを含んでいることを特徴とする映像表示方法。
【請求項９】
前記請求項１〜７のいずれかに記載の映像表示装置と、
携帯情報端末とから構成される映像表示システムであって、
前記携帯情報端末は、行動履歴情報を取得する行動履歴情報取得部と、
取得した前記行動履歴情報を格納する行動履歴情報記録部と、
前記格納されている行動履歴情報を前記映像表示装置に送信する行動履歴情報送信部とを備えることを特徴とする映像表示システム。
【請求項１０】
携帯情報端末、サーバ及び映像表示装置から構成される映像表示システムであって、
前記携帯情報端末は、行動履歴情報を取得する行動履歴情報取得部と、
前記取得した行動履歴情報を前記サーバに送信する行動履歴情報送信部とを備え、
前記サーバは、コンテンツ情報を格納するコンテンツ記録部と、
前記行動履歴情報と前記映像表示装置より送信される番組履歴情報を格納するユーザ情報記録部と、
前記格納されているコンテンツ情報、行動履歴情報及び番組履歴情報にもとづいて、コンテンツ情報を選択するための表示条件を生成するコンテンツ表示条件生成部とを備え、
前記映像表示装置は、前記サーバから送信される前記表示条件にもとづいてコンテンツ情報を表示する表示部とを備えて構成されることを特徴とする映像表示システム。
【請求項１１】
前記携帯情報端末は、前記行動履歴情報を一時的に格納する行動履歴情報一時記録部を備え、前記映像表示装置は、前記番組履歴情報を一時的に格納する番組履歴情報一時記録部を備えていることを特徴とする請求項１０に記載の映像表示システム。
【請求項１２】
携帯情報端末、サーバ及び映像表示装置から構成される映像表示システムであって、
前記携帯情報端末は、行動履歴情報を取得する行動履歴情報取得部と、
前記取得した行動履歴情報を前記映像表示装置が備える行動履歴情報受信部に送信する行動履歴情報送信部とを備え、
前記サーバは、コンテンツ情報を格納するコンテンツ記録部と、
前記映像表示装置より送信される前記行動履歴情報及び番組履歴情報を格納するユーザ情報記録部と、
前記格納されているコンテンツ情報、行動履歴情報及び番組履歴情報にもとづいて、コンテンツ情報を選択するための表示条件を生成するコンテンツ表示条件生成部とを備え、
前記映像表示装置は、前記サーバから送信される表示条件にもとづいてコンテンツ情報を表示する表示部とを備えて構成されることを特徴とする映像表示システム。
【発明の詳細な説明】
【技術分野】
【０００１】
本発明は、携帯情報端末及び映像表示装置が取得する情報にもとづいて、通信ネットワークを介して取得するコンテンツ情報を選択して表示することを特徴とする。
【背景技術】
【０００２】
近年、インターネットに代表される通信技術の発達により、多種多様な情報を簡単に取得することができる。一方、取得できる情報があまりに膨大であり、使用者にとってあまり必要性を感じない情報も含まれているため、取捨選択を要し、かえって不便さを感じることもある。
【０００３】
こうした中、特許文献１では、放送波をデコードして得られる番組情報から、所定のキーワードを抽出して、該抽出したキーワードに関連するウェブサイトの情報をインターネットを介して得る技術について開示されている。図１４は、当該技術に関する番組情報画面の一例を示していて、２８はチャンネル名やチャンネル番号の表示、２９は番組名の表示、３０は番組開始及び終了時刻の表示、３１はジャンルの表示、３２は番組の内容の説明の表示、３３は予約ボタンである。
【０００４】
また、図１４Ｂにおける、３４は関連するウェブサイトが何件あるかを示す旨のメッセージであり、該メッセージによって当該番組に関連するウェブサイトがあることが分かり、該ウェブサイトにアクセスすることで、番組関連情報を得る事ができる。尚、関連するウェブサイトが存在しない場合には、図１４Ｃの３５が示すように、ウェブサイトは見つからない旨のメッセージを表示する。
【先行技術文献】
【特許文献】
【０００５】
【特許文献１】特開２００４−２３３４５号公報
【発明の概要】
【発明が解決しようとする課題】
【０００６】
しかしながら、特許文献１に記載の技術は、あくまで番組情報にもとづいて、関連するウェブサイトをインターネットを介して得るのであり、使用者にとっては不必要な情報が含まれることが多く、結局のところ取捨選択を要し、不便さは解消されないため問題である。
【０００７】
そこで、本発明は係る課題を解決するためになされたものであり、使用者に不要な情報の取捨選択を強いることなく、コンテンツを選択して提供することができる映像表示装置、映像表示方法及び映像表示システムを提供することを目的とする。
【課題を解決するための手段】
【０００８】
本発明に係る映像表示装置は、行動履歴情報を受信する行動履歴情報受信部と、視聴した番組の番組履歴情報を格納する番組履歴情報記録部と、コンテンツ情報を格納するコンテンツ記録部と、前記行動履歴情報、前記格納されている番組履歴情報及び前記コンテンツ情報にもとづいて、コンテンツ情報を選択するための表示条件を生成するコンテンツ表示条件生成部と、前記表示条件にもとづいてコンテンツ情報を表示する表示部とを備えることを特徴とする。
【０００９】
前記番組履歴情報は、視聴した番組、録画予約した番組又は視聴予約した番組のうち、少なくともいずれか一つに関する情報であることを特徴とする。
【００１０】
前記コンテンツ情報は、地域情報、時間情報又は番組情報のうち、少なくともいずれか一つを含むことを特徴とする。
【００１１】
前記コンテンツ表示条件生成部は、前記表示部に表示されるコンテンツ情報に表示優先度を付与するように表示条件を生成することを特徴とする。
【００１２】
前記コンテンツ表示条件生成部は、緊急情報に係るコンテンツ情報の前記表示優先度を高くするように表示条件を生成することを特徴とする。
【００１３】
前記コンテンツ表示条件生成部は、前記表示部に表示されるコンテンツ情報の少なくとも一部を表示するように表示条件を生成することを特徴とする。
【００１４】
前記コンテンツ表示条件生成部は、前記コンテンツ情報の少なくとも一部を表示するような表示条件から詳細表示に切り換えるように表示条件を生成することを特徴とする。
【００１５】
本発明に係る映像表示方法は、行動履歴情報を受信する工程と、視聴した番組の番組履歴情報を格納する工程と、コンテンツ情報を格納する工程と、前記行動履歴情報、前記格納されている番組履歴情報及び前記コンテンツ情報にもとづいて、コンテンツ情報を選択するための表示条件を生成する工程と、前記表示条件にもとづいてコンテンツ情報を表示する工程とを含んでいることを特徴とする。
【００１６】
本発明に係る映像表示システムは、上記に記載の映像表示装置と、携帯情報端末とから構成される映像表示システムであって、前記携帯情報端末は、行動履歴情報を取得する行動履歴情報取得部と、取得した前記行動履歴情報を格納する行動履歴情報記録部と、前記格納されている行動履歴情報を前記映像表示装置に送信する行動履歴情報送信部とを備えることを特徴とする。
【００１７】
本発明に係る映像表示システムは、携帯情報端末、サーバ及び映像表示装置から構成される映像表示システムであって、前記携帯情報端末は、行動履歴情報を取得する行動履歴情報取得部と、前記取得した行動履歴情報を前記サーバに送信する行動履歴情報送信部とを備え、前記サーバは、コンテンツ情報を格納するコンテンツ記録部と、前記行動履歴情報と前記映像表示装置より送信される番組履歴情報を格納するユーザ情報記録部と、前記格納されているコンテンツ情報、行動履歴情報及び番組履歴情報にもとづいて、コンテンツ情報を選択するための表示条件を生成するコンテンツ表示条件生成部とを備え、前記映像表示装置は、前記サーバから送信される前記表示条件にもとづいてコンテンツ情報を表示する表示部とを備えて構成されることを特徴とする。
【００１８】
前記携帯情報端末は、前記行動履歴情報を一時的に格納する行動履歴情報一時記録部を備え、前記映像表示装置は、前記番組履歴情報を一時的に格納する番組履歴情報一時記録部を備えていることを特徴とする。
【００１９】
本発明に係る映像表示システムは、携帯情報端末、サーバ及び映像表示装置から構成される映像表示システムであって、前記携帯情報端末は、行動履歴情報を取得する行動履歴情報取得部と、前記取得した行動履歴情報を前記映像表示装置が備える行動履歴情報受信部に送信する行動履歴情報送信部とを備え、前記サーバは、コンテンツ情報を格納するコンテンツ記録部と、前記映像表示装置より送信される前記行動履歴情報及び番組履歴情報を格納するユーザ情報記録部と、前記格納されているコンテンツ情報、行動履歴情報及び番組履歴情報にもとづいて、コンテンツ情報を選択するための表示条件を生成するコンテンツ表示条件生成部とを備え、前記映像表示装置は、前記サーバから送信される表示条件にもとづいてコンテンツ情報を表示する表示部とを備えて構成されることを特徴とする。
【発明の効果】
【００２０】
本発明に係る映像表示装置、映像表示方法及び映像表示システムは、使用者に関連するコンテンツ情報を選択して提供することができる。
【図面の簡単な説明】
【００２１】
【図１】本発明の第１の実施例に関するブロック構成図。
【図２】本発明の第１の実施例に関する行動履歴情報についての説明図。
【図３】本発明の第１の実施例に関する番組履歴情報についての説明図。
【図４】本発明の第１の実施例に関するコンテンツについての説明図。
【図５】本発明の第１の実施例に関するコンテンツの表示条件についての説明図。
【図６】本発明の第１の実施例に関するコンテンツの表示条件についての説明図。
【図７】本発明の第１の実施例に関するコンテンツの表示についての説明図。
【図８】本発明の第１の実施例に関するコンテンツの表示についての説明図。
【図９】本発明の第１の実施例に関するコンテンツの表示についての説明図。
【図１０】本発明の第１の実施例に関する動作を説明するフローチャート。
【図１１】本発明の第２の実施例に関するブロック構成図。
【図１２】本発明の第２の実施例に関するブロック構成図。
【図１３】本発明の第２の実施例に関するブロック構成図。
【図１４】従来技術を示す説明図。
【発明を実施するための形態】
【００２２】
【実施例１】
【００２３】
本発明の実施例１について、図１〜１０を用いて説明する。図１は、本発明に係る映像表示装置、映像表示システムについての構成を示すブロック構成図である。１は携帯情報端末で、通信部２、行動履歴情報取得部３、行動履歴情報記録部４、行動履歴情報送信部５から構成される。携帯情報端末１とは、例えば携帯電話機などの使用者が携帯して持ち運ぶことができる機器である。６は映像表示装置で、映像音声処理部８、行動履歴情報受信部９、番組履歴情報記録部１０、コンテンツ表示条件生成部１１、コンテンツ記録部１２、ネットワーク通信部１３、表示制御部１４、表示部１５、制御部２４から構成される。７はアンテナである。映像表示装置６は、例えばテレビ受像機であり、特に限定されるものではない。１６はＧＰＳ衛星である。また、１７はコンテンツサーバである。尚、本明細書において、コンテンツ情報とは、コンテンツ及びＵＲＬ（Ｕｎｉｆｏｒｍ Ｒｅｓｏｕｒｃｅ Ｌｏｃａｔｏｒ）を含む情報であって、前記コンテンツとは、動画像、静止画像、音声、テキスト又はこれらの組み合わせからなるデータであり、前記ＵＲＬとは、コンテンツの所在を示す情報である。
【００２４】
次に、本実施例の動作について説明する。行動履歴情報取得部３は、例えば、ＧＰＳ衛星１６から通信部２を介して、携帯情報端末１を携帯している使用者の行動履歴情報を取得する。尚、前記行動履歴情報とは、例えば緯度、経度又はジオタグなどを含む情報である。また、前記ジオタグとは、緯度、経度といった地理座標そのものではなく、地理座標に対応した都市や道路・公園・建物などの地理名や住所などの位置参照情報である。行動履歴情報取得部３は、取得した行動履歴情報を行動履歴情報記録部４に格納する。
【００２５】
格納される前記行動履歴情報とは、例えば図２に示すようなデータテーブルである。図２は、２０１１年７月３１日における使用者の行動履歴情報を示している。紙面に向かって左側の列から、時刻、緯度、経度、ジオタグの欄から構成されており、最上段の行を例に挙げて説明すると、１２時５分３１秒の時点では、携帯情報端末の使用者は、ジオタグから国会議事堂付近にいることが分かる。また、当該行動履歴情報は、例えば１分ごとなどの所定期間ごとに記録するものであってよいし、使用者が移動して緯度、経度に変化があった時点で記録するものでも良い。また、敢えて図示はしないが、緯度及び経度がある値のときは、○○市○○町であるというような、緯度、経度に応じて定まる地理情報についても、前記行動履歴情報として、格納するという構成であってもよい。緯度、経度の地理座標に対して複数のジオタグが存在する場合があるが、対応する全てのジオタグを格納してもよい。
【００２６】
行動履歴情報送信部５は、前記行動履歴情報記録部４に格納してある行動履歴情報を映像表示装置６の行動履歴情報受信部９、制御部２４を介して、無線通信等によりコンテンツ表示条件生成部１１に送信する。前記行動履歴情報の送信は、例えば、使用者が外出から帰宅し、映像表示装置の電源をオンにした際に自動的に無線同期するなどして行なわれる。
【００２７】
ネットワーク通信部１３は、コンテンツ情報をコンテンツサーバ１７から受信し、コンテンツ記録部１２に格納する。尚、コンテンツ記録部１２に格納されるコンテンツ情報は、例えば、使用者によって観察された場合、格納されてから所定期間経過した場合、又は後述する終了時刻情報から既にコンテンツ情報の表示終了時刻を経過している場合には、消去されるという構成であってもよい。
【００２８】
前記コンテンツサーバ１７は映像表示装置を製造する事業者自身が管理・運営し、コンテンツを配信しても良いし、他のコンテンツ供給業者がコンテンツを配信してもよい。また、コンテンツサーバは１つではなく、コンテンツ供給業者ごとに複数あっても良いし、同一供給業者であっても、複数のサーバであってもよいが、以下便宜上、コンテンツサーバは１つとして説明する。
前記コンテンツ情報の取得は、予め使用者が指定した特定のコンテンツ供給会社のサーバから、所定時刻に配信させてもよいし、使用者がリモコン（図示せず）の「ネット情報取得」ボタンを押した時などに取得してもよいし、指定したコンテンツ供給会社のサーバに対して、所定時刻にコンテンツの送信を要求するような構成であってもよい。
【００２９】
コンテンツ表示条件生成部１１は、前記行動履歴情報が入力されたときに、番組履歴情報記録部１０に格納されている番組履歴情報を要求する。ここで、番組履歴情報とは、使用者が視聴した番組に関する番組情報、映像表示装置の電源をオン、オフした時間、選局操作を行なった時間、録画予約を行った番組又は視聴予約を行った番組の番組情報等を含むものとする。また、前記番組情報とは、例えば、番組名、チャンネル、番組概要、放送日、放送開始時刻、ジャンルなどを含む情報である。尚、前記番組は、放送波によって伝送されるものに限らず、インターネット等を経由するものであってもよい。
【００３０】
図３は、前記番組履歴情報を表したデータテーブルである。図３は、２０１１年７月３１日の番組履歴情報を示していて、紙面に向かって左の列から、時刻、放送方式、チャンネル、ジャンル、番組名の項目から構成されている。一例として、最上段の行を挙げて説明すると、８時０分１７秒の時点では、ＢＳの１０３チャンネルの番組名○○ニュースを視聴していたことが分かる。尚、前記データテーブルに関し、例えば、使用者が３０分以上視聴した番組についてのみ番組履歴情報として記録する構成であってもよい。また、前記データテーブルは一週間ごとなど所定期間ごとに消去される構成であってもよい。
【００３１】
また、コンテンツ表示条件生成部１１は、コンテンツ情報を受信し、コンテンツ記録部１２に格納された旨の通知を受けたときに、所定の情報を検出するように動作する。また、前記所定の情報とは、主に地域情報、コンテンツの開始時刻情報、終了時刻情報である時間情報及び番組情報であり、図４は、前記コンテンツ情報からこれらの情報を実際に検出する様子を示している。
【００３２】
例えば、図４（Ａ）は地域情報を抽出する場合であり、ＵＲＬにおける都道府県コードである、ｐｒｅｆ＝１３から、東京都についての地域情報を抽出している。また、コンテンツを構成するＸＭＬ形式で記述されたデータのうち、郵便番号５３３０００１から、地域情報として大阪府福島区海老江を検出している。
【００３３】
同様に、図４（Ｂ）では、時間情報としてコンテンツの開始時刻情報として２０１１年８月２日午前０時、終了時刻情報として２０１１年８月３日２３時５９分５９秒を検出している。また、「今日まで」、「明日から」などの時間を表す所定のキーワードを検出する。
ここで、前記開始時刻情報に関して更に述べる。前記開始時刻情報とは「当該コンテンツが表示可能になる開始時刻」ということを意味していて、例えば、「花火大会が２０１１年７月２７日に開始される」という情報を含んだコンテンツがあり、このコンテンツの開始時刻として２０１１年７月１０日という情報が含まれているならば、２０１１年７月１０日から当該コンテンツの表示を使用者に開始するというものである。前記終了時刻情報についても同様であり、「当該コンテンツが表示不要になる終了時刻」という意味である。
図４（Ｃ）では、番組情報のうち主に番組名、ジャンルの検出を行う。尚、以下からコンテンツ情報から検出した前記地域、時間、番組情報を検出情報と称呼する。
また、上記構成では地域情報、時間情報及び番組情報を検出するとしたが、これにかぎらず、例えば、災害情報などの緊急性の高い情報（緊急情報と称呼する）についても、検出してよいものとする。
【００３４】
映像音声処理部８は、主に、アンテナ７より入力される放送波から、復調する放送信号の選局を行い、入力された放送信号の映像音声部分、番組情報等を含むデータ部分とを分離し、圧縮符号化された映像データや音声データを表示データや発声音データにデコードする。映像音声処理部８は、上記所定の映像処理を行なった後、制御部２４を介して表示制御部１４に出力する。また、上述した番組履歴情報について番組履歴情報録部１０に出力する。
更に、コンテンツ表示条件生成部１１は、入力される行動履歴情報、番組履歴情報、コンテンツ情報の検出情報にもとづいて、使用者にとって関連性の高いコンテンツ情報を表示するための表示条件の生成を行う。前記表示条件は、後述する表示優先度、表示時間等である。
【００３５】
まず、所定のコンテンツに、前記地域情報又は前記番組情報のいずれかかが含まれるか否かの判定を行い、含まれるのであれば、前記行動履歴情報、前記番組履歴情報と照合し、該照合結果にもとづいて表示優先度を定める。
そして、開始時刻情報、終了時刻情報についても前記コンテンツ情報に含まれるのであれば、実際に表示する時刻を定める基準とする。上記に関し、図５を用いて説明する。
図５（Ａ）は、使用者にとって関連性の高いコンテンツ情報を表示優先度に応じて表示する際の基準を示している。図５（Ａ）には、紙面に向かって最も左側の列から、地域情報、開始時刻情報、終了時刻情報、番組情報の項目があり、これらの項目はコンテンツ情報から抽出する項目であり、前記コンテンツ情報にこれらの情報が含まれている場合には、○を付し、含まれていなければ×を付している。
【００３６】
そして、図５（Ａ）中の地域情報フィルタの項目は、前記行動履歴情報から決定される項目で、番組情報フィルタの項目は、番組履歴情報から定まる項目である。また、図５（Ａ）中の表示時間操作の項目については、地域情報フィルタ及び番組情報フィルタに加えて、開始時刻情報、終了時刻情報の項目から決定される。前記表示時間操作の項目については、図５（Ｃ）を用いてより詳細に説明している。
図５（Ｃ）について、例えば、パターンＡでは、地域情報フィルタ又は番組情報フィルタのうちのいずれかが適合し、開始時刻情報及び終了時刻情報のいずれもがコンテンツ情報に含まれていて明らかになっており、尚且つ、開始時刻と終了時刻の間に映像表示装置の電源がオンであれば、前記コンテンツ情報をウィジェットやウェブブラウザなどを用いて画面上に表示する。一方、前記コンテンツ情報の開始時刻以前である場合、開始時刻になるまで表示せずにコンテンツ情報をコンテンツ記録部１２に格納されたままにし、開始時刻が過ぎると表示し、既に前記コンテンツ情報の終了時刻を過ぎている場合には、表示しないものとして、コンテンツ情報を実際に表示する時刻を調整する。
【００３７】
図５（Ａ）に関し、最も右の列の表示優先度の項目は、上述した地域情報フィルタ及び番組情報フィルタから定まり、使用者にとって最も関連性のあるコンテンツ情報について、表示優先度として１〜５の数字を、優先度が高くなるコンテンツ情報について最上段の行から順に割り振っている。
上述した表について、図５（Ｂ）を用いてより具体的に説明する。図５（Ｂ）は、図５（Ａ）の各項目をより具体的に説明している。前記図５（Ｂ）に関し、地域情報フィルタは、東京駅や特許庁など東京都内であり、番組情報フィルタは、ニュースに関するジャンルの番組であるものとする。
この場合、受信したコンテンツ情報から、東京都に関するニュースで、開始時刻情報が１８時で、終了時刻情報が不明であるならば、地域情報フィルタは行動範囲の情報であり、番組情報フィルタはジャンルが一致することから、図５（Ａ）における最上段から２段目に適合する。従って、表示時間操作はパターンＢで、表示優先度は５である。
図５（Ａ）の最下段では、前記コンテンツ情報には前記地域情報も前記番組情報も含まれず、かつ時刻情報も含まれないことから、使用者が好まない情報と判断できるため、表示しないよう表示優先度を０としている。
【００３８】
尚、上記構成に加えて、コンテンツ情報にある特定のカテゴリ分けをするような種別情報が含まれている場合には、当該種別情報を更に加味して、表示優先度を設定するような構成であってもよい。この場合、図６（Ａ）に示すように、コンテンツ情報種別フィルタを設ける。図６（Ｃ）は前記コンテンツ情報種別フィルタを具体的に示しており、コンテンツ情報の内容別に、パターン１〜７を付している。例えば、地域情報フィルタとして行動範囲の情報、番組情報フィルタとして放送方式・番組名・ジャンルのいずれかが適合するときのコンテンツ情報種別フィルタは、パターン３であり、平日はニュースのみ、休日は全てのコンテンツ情報を表示する。
【００３９】
また、上記構成に限らず、緊急情報については、表示優先度を５として優先的に表示するとしてもよい。
【００４０】
また、番組履歴情報のうち、録画予約又は視聴予約を行った番組に関し、該番組を予約はしたものの視聴はしなかった場合には、表示優先度を下げるような構成としてもよい。
コンテンツ表示条件生成部１１は、上述したように、受信するコンテンツ情報について表示優先度等の表示条件を生成して、該生成した表示条件を表示制御部１５に通知する。
以上、上述したような構成とすることで、使用者の行動履歴情報及び番組履歴情報を用いて、受信するコンテンツ情報の表示を選択して行なうため、使用者にとって関連するコンテンツ情報についてのみ表示させるように制御することができる。
【００４１】
表示制御部１４は、前記通知される表示条件にもとづいて、所定の表示画面を生成する。当該表示画面は、例えば図７に示すような画面である。図７は、表示画面にコンテンツ情報を表示するときの様子を示しており、図７（Ａ）では、紙面に向かって右下にコンテンツ情報の「新着情報あり」のメッセージが表示されていて、右隣の「開く」をリモコン（図時せず）などのカーソルキーで選択し所定の決定ボタンを押すことで、図７（Ｂ）に示すような表示画面に移行する。
【００４２】
図７（Ｂ）は、天気予報に関するコンテンツを子画面として重畳させて表示する様子を示している。このように、子画面として表示することで、重畳される画面についても同時に視聴することができる。尚、前記コンテンツは子画面としての表示態様に限られず、全画面表示であってもよい。
また、図７（Ｃ）は、前記天気予報に関するコンテンツを構成するＸＭＬ形式で記述されたデータを示している。図７（Ｂ）において、１８は、図７（Ｃ）の前記コンテンツにおける、＜ｔｉｔｌｅ＞天気予報＜／ｔｉｔｌｅ＞の文字列に該当する。また、１９は、＜ａｒｅａ＞近畿：東海：四国：九州＜／ａｒｅａ＞の文字列、２０は、＜ｄｅｓｃｒｉｐｔｉｏｎ＞夕方から雨が降ります＜／ｄｅｓｃｒｉｐｔｉｏｎ＞の文字列にそれぞれ該当する。また、２１は、＜ｉｍｇ ｓｒｃ＝”ｈｔｔｐ：／／ｄｔｖ．Ｗｎｉ．ｃｏｍ／ｔｙｐｈｏｏｎ／ｔ１６＿０９２１ａｍ１１４５．ｊｐｇ”＞と記述された画像に該当する。尚、図７（Ｃ）の近畿：東海：四国：九州の文字列は、既に先述した地域情報に該当する。
【００４３】
また、図８は、コンテンツを表示する際の別の例を示している。図８（Ａ）の紙面に向かって右下には、ニュースに関するコンテンツの要約が表示されている。ここで、「詳細」を選択すると、前記コンテンツの詳細を表示する表示画面に切り換える。また、「次へ」を選択すると、図８（Ｄ）の表示画面に移行し、ＤＶＤのレンタルサービスに関するコンテンツを表示する。尚、表示するコンテンツの順番は、上述した表示優先度が高い方から順に表示する。
【００４４】
また、図８（Ｃ）は、図８（Ａ）に表示されているニュースの関するコンテンツを示している。図８（Ａ）において、２２は、図８（Ｃ）の＜ｔｉｔｌｅ＞○○ニュース＜／ｔｉｔｌｅ＞の文字列に、２３は、＜ｓｕｍｍａｒｙ＞本日未明、豊田市で・・・＜／ｓｕｍｍａｒｙ＞の文字列に該当する。図８（Ｃ）の２０１１−０９−０７Ｔ０３：００：００＋０９：００及び２０１１−０９−０７Ｔ１３：００：００＋０９：００の文字列は、時間情報であり、それぞれ開始時刻情報及び終了時刻情報である。また、本日未明、豊田市で・・・の文字列は地域情報である。また、図８（Ｆ）は、図８（Ｄ）に表示されているＤＶＤレンタルサービスに関するコンテンツであり、洋画：ドラマの文字列は、番組情報である。
【００４５】
また、図９は、コンテンツを表示する際のその他の例であり、図９（Ａ）では、紙面に向かって右下に、１．○○ニュース、２．○○レンタル、３．天気予報として、一覧表示している。表示順は１から３まで、表示優先度の高い方から順に表示する。○○ニュースの右隣の確認を選択すると、図９（Ｂ）に示すように、○○ニュースの要約を表示する。
図１０は、上述した一連の動作に関し、特にコンテンツ表示条件生成部１１の動作についてフローチャートとして示す。以下でそれぞれのステップについて説明する。ステップＳ１において、映像表示装置６が携帯情報端末１より、行動履歴情報を受信し、コンテンツ表示条件生成部１１に入力される。
【００４６】
ステップＳ２では、コンテンツ表示条件生成部１１は、前記行動履歴情報の入力にもとづいて、番組履歴情報を取得する。ステップＳ３でコンテンツ情報を取得し、ステップＳ４において、地域情報、時間情報、番組情報を検出する。ステップＳ５では、前記検出結果、前記行動履歴情報及び番組履歴情報にもとづいて、コンテンツ表示条件を生成する。ステップＳ６では、前記生成した表示条件にもとづいてコンテンツ情報を表示する。
尚、本実施例では、映像表示装置６への行動履歴情報の入力に応じて、該行動履歴情報、番組履歴情報及びコンテンツ情報からコンテンツ表示条件を生成する構成としているが、これに限らず、例えば、所定時間経過ごと又は所定時刻ごとに前記表示条件を生成するような構成としてもよい。
【実施例２】
【００４７】
本発明の実施例２について、図１１〜１３を用いて説明する。図１１は、本発明に係る映像表示装置、映像表示システムについての構成を示すブロック構成図であり、既に実施例１で説明した構成及び動作については、同一の符号を付して説明は省略する。特に、本実施例では、上述した実施例１とは異なり、コンテンツ情報に対する表示条件の生成をサーバ２５で行うことを特徴とする。当該サーバは、コンテンツ記録部２５ａ、コンテンツ表示条件生成部２５ｂ、ユーザ情報記録部２５ｃ、ネットワーク通信部２５ｄから構成される。
【００４８】
携帯情報端末１の行動履歴情報取得部３は、行動履歴情報を自身の端末内には保存せず、行動履歴情報送信部５を介してサーバ２５に送信する。
【００４９】
映像表示装置６は、制御部２４を備え、使用者が選局操作、録画予約、又は視聴予約など、番組視聴や予約などの動作を行った場合に、番組履歴情報をネットワーク通信部１３を介してサーバ２５に送信する。
サーバ２５は、前記携帯情報端末１から送られる前記行動履歴情報と、前記映像表示装置６から送られる前記番組履歴情報を格納するユーザ情報記録部２５ｃを備える。ユーザ情報記録部２５ｃには、前記携帯情報端末１と前記映像表示装置６を所有する使用者ごとに、前記行動履歴情報と前記番組履歴情報とを一組として関連付けて格納している。
前記携帯情報端末１と前記映像表示装置６が同一の使用者であるかどうかの識別は、予めウェブサイトなど使用者を識別するための情報の登録を行う登録ページを用意し、携帯情報端末と映像表示装置の個体識別情報を登録するなど、機器登録をして行う。前記個体識別情報とは、携帯情報端末や映像表示装置を識別するための情報であって、例えば製造番号等である。図示しないが、携帯情報端末や映像表示装置の前記個体識別情報の組を元に、ユーザＩＤなど特定のユーザを識別する情報を管理しても良い。
【００５０】
サーバ２５は、コンテンツサーバ１７から送信されるコンテンツ情報を、コンテンツ記録部２５ａに一時的に格納する。サーバ２５は、ユーザから前記行動履歴情報及び前記番組履歴情報を受信し、コンテンツ表示条件生成部２５ｂにおいて、コンテンツ情報に対する表示条件の生成を行う。該表示条件の生成については、実施例１と同様であるため、説明は省略する。
【００５１】
サーバ２５は、前記生成した表示条件をネットワーク通信部１３を介して、映像表示装置６に送信する。
【００５２】
尚、サーバ２５における、前記表示条件の生成と前記映像表示装置へのコンテンツ配信は非同期で行って良いし、コンテンツサーバ１７からコンテンツ情報を受信するたびに、前記表示条件を生成し、映像表示装置６に送信しても良い。または、定期的に前記表示条件を生成し、定期的に映像表示装置６に送信するとしても良い。
【００５３】
また、コンテンツ情報の配信に関しては、使用者がリモコン（図示せず）の「ネット情報取得」ボタンを押した時などに行うとしても良い。
【００５４】
上述したように、サーバにおいて受信するコンテンツ情報に対して、表示条件の生成を行う構成とすることで、映像表示装置に番組履歴情報記録部が不要になる。これにより、番組履歴情報を格納するストレージ容量や、番組履歴情報の記録やコンテンツ表示条件の生成などのプログラムを格納するメモリ容量などが不要になり、映像表示装置を安価に製造することが可能になる。
【００５５】
また同様に、携帯情報端末に行動履歴情報記録部が不要になるため、携帯情報端末のストレージ容量やメモリ容量などを少なくすることが可能になる。
以下、コンテンツ情報の表示画面については上述したとおりであり、説明は省略する。
尚、前記行動履歴情報取得部は、取得した前記行動履歴情報をその都度サーバに送信せず、所定時間経過したら行われるとしてもよいし、所定時刻ごとに行われてもよい。また、制御部２４も、前記番組履歴情報をネットワーク通信部１３を介して、例えば、所定時間経過ごと又は所定時刻ごとにサーバ２５に送信してもよい。この場合は、図１２のように、前記携帯情報端末に行動履歴情報一時記録部２６を備え、映像表示装置に番組履歴情報一時記録部２７を備える構成とすることで、実現することができる。
【００５６】
また、本実施例では、行動履歴情報送信部５からサーバ２５に行動履歴情報を送信する構成としたが、これに限らず、例えば図１３に示すように、前記行動履歴情報を行動履歴情報受信部９に送信し、ネットワーク通信部１３を介して、番組履歴情報と併せて送信するような構成であってもよい。これにより、携帯情報端末と映像表示装置との関連付けをサーバで行う必要がなくなるため、サーバ２５において、携帯情報端末の識別をする必要が無くなり、サーバへの機器登録が簡便になる。
【符号の説明】
【００５７】
１  携帯情報端末
２  通信部
３  位置情報取得部
４  行動履歴情報記録部
５  行動履歴情報送信部
６  映像表示装置
７  アンテナ
８  映像音声処理部
９  行動履歴受信部
１０  番組履歴情報記録部
１１  コンテンツ表示条件生成部
１２  コンテンツ記録部
１３  ネットワーク通信部
１４  表示制御部
１５  表示部
１６  ＧＰＳ衛星
１７  コンテンツサーバ
【図１】
2013138309.tif 000003
【図２】
2013138309.tif 000004
【図３】
2013138309.tif 000005
【図４】
2013138309.tif 000006
【図５】
2013138309.tif 000007
【図６】
2013138309.tif 000008
【図７】
2013138309.tif 000009
【図８】
2013138309.tif 000010
【図９】
2013138309.tif 000011
【図１０】
2013138309.tif 000012
【図１１】
2013138309.tif 000013
【図１２】
2013138309.tif 000014
【図１３】
2013138309.tif 000015
【図１４】
2013138309.tif 000016